(57)【要約】【課題】ミスト用水の給水管路内部に圧力上昇が生じず、しかも排水が不用となり、さらに液−液熱交換器中のリーク発生箇所に関らずリークの有無を検出すること。【解決手段】液−液熱交換器７の一次側からの温水戻り温度を検出する戻り温水サーミスタＴＨＭと、ミスト噴霧時に戻り温水サーミスタＴＨＭによる検出温度により液−液熱交換器７の一次側と二次側との間のリークの有無の判定を行うリーク判定手段とを備え、リーク判定手段は、ミスト噴霧時に戻り温水サーミスタＴＨＭによる検出温度が所定温度より低い場合は液−液熱交換器７の一次側と二次側との間にリーク有りと判定し、このリーク有りの判定結果に応じて機器の運転を停止させる安全装置を備えたミストサウナ装置である。【選択図】図１
2011193951.tif 000002
【特許請求の範囲】
【請求項１】
給水部から供給される二次側のミスト用水を熱源機からの一次側の温水により加熱する液−液熱交換器を備え、液−液熱交換器で加熱したミスト用水をミスト状に噴霧させるミストサウナ装置であって、
前記液−液熱交換器の一次側からの温水戻り温度を検出する戻り温水サーミスタと、ミスト噴霧時に前記戻り温水サーミスタによる検出温度により前記液−液熱交換器の一次側と二次側との間のリークの有無の判定を行うリーク判定手段とを備え、前記リーク判定手段は、ミスト噴霧時に前記戻り温水サーミスタによる検出温度が所定温度より低い場合は前記液−液熱交換器の一次側と二次側との間にリーク有りと判定し、このリーク有りの判定結果に応じて機器の運転を停止させる安全装置を備えたことを特徴とするミストサウナ装置。
【請求項２】
前記二次側のミスト用水の水温を求め、求めたミスト用水の水温に応じて設定したリーク判定用閾値を前記所定温度とすることを特徴とする請求項１記載のミストサウナ装置。
【請求項３】
前記熱源機からの一次側の温水の供給を所定期間以上受けていない場合において、熱源機からの温水供給開始後に前記戻り温水サーミスタにより検出される温水の最低温度を前記二次側のミスト用水の水温とすることを特徴とする請求項２記載のミストサウナ装置。
【請求項４】
前記熱源機から前記液−液熱交換器の一次側に温水を供給する温水循環管路に前記熱源機からの温水を分岐して供給する分岐点を設け、前記分岐点から前記熱源機からの温水が分岐して供給される温水循環管路により循環用ファンにて通風される空気を加熱して温風を発生させるための暖房用熱交換器を備えると共に、前記分岐点から前記熱源機からの温水が分岐して供給されるミスト加熱用管路と、このミスト加熱用管路から前記液−液熱交換器の一次側への循環温水の供給量を調整する水比例弁とを備えており、前記二次側のミスト用水の水温を求める際は、前記分岐点から液−液熱交換器の一次側に流れる温水循環流量が通常のミストサウナ装置の運転時における温水循環流量の範囲の中で下限に近い少ない目となるように前記水比例弁の開度を調整することを特徴とする請求項３記載のミストサウナ装置。
【請求項５】
前記二次側のミスト用水の水温が所定の温度範囲であるときのみ、リーク判定手段によるリークの有無の判定を実行することを特徴とする請求項２乃至４のいずれか一項に記載のミストサウナ装置。
【請求項６】
前記安全装置は、リーク判定手段によるリーク有りとの判定結果が所定回数以上連続したときに、機器の運転を強制停止させることを特徴とする請求項１乃至５のいずれか一項に記載のミストサウナ装置。
【請求項７】
前記熱源機からの一次側の温水が循環する温水循環管路により循環用ファンにて通風される空気を加熱して温風を発生させるための暖房用熱交換器を備えると共に、前記液−液熱交換器の一次側出口と前記温水循環管路の戻り側とが合流点において合流し、前記液−液熱交換器の一次側出口と前記合流点との間に、前記戻り温水サーミスタを設けてなることを特徴とする請求項１乃至６のいずれか一項に記載のミストサウナ装置。
【発明の詳細な説明】
【技術分野】
【０００１】
本発明は、ミストサウナ装置に関し、詳しくは例えば浴室に温水をミスト状に噴霧してミストサウナ浴ができるミストサウナ装置に関するものである。
【背景技術】
【０００２】
近年、浴室の天井等に設置して浴室の暖房や浴室の乾燥や浴室の換気や浴室に送風を行う浴室暖房乾燥機において、給水部から供給される二次側のミスト用水を熱源機からの一次側の温水により加熱する液−液熱交換器を備え、液−液熱交換器で加熱したミスト用水をミストノズルから浴室内にミスト状に噴霧させるミストサウナ装置を付加した、ミストサウナ機能付き浴室暖房乾燥機が知られている（例えば、特許文献１参照）。
【０００３】
ところで、液−液熱交換器においては、例えば一次側の温水と、二次側のミスト用水との間を伝熱可能に仕切る隔壁に孔明き等の損傷が万一発生し、その孔を通じて一次側と二次側との間でリークが生じてしまったとしても、外部に見える状態での液漏れが生じる訳でもなく、このため、リーク発生の発見が著しく遅れてしまったり、もしくは、困難になったりするという不都合がある。
【０００４】
そこで前記特許文献１に開示されている従来例では、ミストサウナ運転に先立って熱源機からの温水を液−液熱交換器の一次側に循環させる温水循環運転を行いながら、液−液熱交換器の二次側の上流に位置する給水開閉弁を閉じた状態で、二次側のミスト用水の温度を監視し、ミスト用水の温度上昇が所定値以上認められたときは液−液熱交換器での一次側から二次側への温水のリークが生じていると判定する。
【０００５】
しかし、もし液−液熱交換器の二次側の下流に位置するノズル開閉弁を閉じた状態で上記判定を行つたときに液−液熱交換器にリークがない場合には、温水循環運転による二次側のミスト用水の温度上昇により、ミストサウナ装置の給水部の入口側に設けられる逆止弁とノズル開閉弁との間のミスト用給水管路内部で水の膨張による圧力上昇が生じ、この圧力上昇が大きい時にはノズル開閉弁の開弁に支障を来たすおそれがあった。
【０００６】
また前記従来例では、液−液熱交換器の二次側の下流側から排水開閉弁で開閉される排水管路を分岐接続し、給水開閉弁及びノズル開閉弁を閉じ且つ排水開閉弁を開いた状態で、ミストサウナ運転に先立って行う温水循環運転中は二次側のミスト用水を排水管路から排出させ、給水部からの一次側の温水温度が所定温度に上昇してから二次側のミスト用水の温度を監視して、リークを検出する場合も開示されているが、この場合、排水管路を別途設ける必要があり、構成部品の増加を招くという課題があった。
【０００７】
さらに前記従来例では、二次側のミスト用水の温度の上昇を検出して液−液熱交換器のリークを検出しているため、液−液熱交換器のリークの発生場所が、例えば一次側水路の最下流箇所である場合は、二次側の温度上昇が判別しにくくなり、リークの発見が困難になるという課題もあった。
【先行技術文献】
【特許文献】
【０００８】
【特許文献１】特開２００６−６８１２９号公報
【発明の概要】
【発明が解決しようとする課題】
【０００９】
本発明は上記の事情に鑑みてなされたものであって、その目的とするところは、ミスト用水の給水管路内部に圧力上昇が生じず、排水経路を設ける必要がなく、そのうえ液−液熱交換器中のリーク発生箇所に関らずリークの有無を検出できるミストサウナ装置を提供することにある。
【課題を解決するための手段】
【００１０】
前記の課題を解決するために、本発明は、給水部から供給される二次側のミスト用水を熱源機からの一次側の温水により加熱する液−液熱交換器を備え、液−液熱交換器で加熱したミスト用水をミスト状に噴霧させるミストサウナ装置であって、前記液−液熱交換器の一次側からの温水戻り温度を検出する戻り温水サーミスタと、ミスト噴霧時に前記戻り温水サーミスタによる検出温度により前記液−液熱交換器の一次側と二次側との間のリークの有無の判定を行うリーク判定手段とを備え、前記リーク判定手段は、ミスト噴霧時に前記戻り温水サーミスタによる検出温度が所定温度より低い場合は前記液−液熱交換器の一次側と二次側との間にリーク有りと判定し、このリーク有りの判定結果に応じて機器の運転を停止させる安全装置を備えたことを特徴としている。
【００１１】
このような構成とすることで、ミスト噴霧を行いながらリークの有無の判定を実行するので、リークがない場合でも、ミスト用水の給水管路内部の圧力上昇を生じることがなく、また排水経路を別途設ける必要もなく、そのうえ、リーク判定を液−液熱交換器からの戻り温水の温度に基づいて行うので、温度が変化しにくい液−液熱交換器の入側で温度監視を行う場合と異なり、正確にリークの有無を判定できるようになる。
【００１２】
前記二次側のミスト用水の水温を求め、求めたミスト用水の水温に応じて設定したリーク判定用閾値を前記所定温度とするのが好ましい。この場合、季節によりミスト用水の水温が変動したときにも、水温に応じたリーク判定用閾値を基準にすることで、季節（水温）に影響されずにリークの有無を正確に判定できるようになる。
【００１３】
前記熱源機からの一次側の温水の供給を所定期間以上受けていない場合において、熱源機からの温水供給開始後に前記戻り温水サーミスタにより検出される温水の最低温度を前記二次側のミスト用水の水温とするのが好ましい。この場合、所定期間経過後の熱源機からの初期温水温度をミスト用水の水温とみなすことで、ミスト用水の水温を求めるための特別なセンサが不要である。
【００１４】
前記熱源機から前記液−液熱交換器の一次側に温水を供給する温水循環管路に前記熱源機からの温水を分岐して供給する分岐点を設け、前記分岐点から前記熱源機からの温水が分岐して供給される温水循環管路により循環用ファンにて通風される空気を加熱して温風を発生させるための暖房用熱交換器を備えると共に、前記分岐点から前記熱源機からの温水が分岐して供給されるミスト加熱用管路と、このミスト加熱用管路から前記液−液熱交換器の一次側への循環温水の供給量を調整する水比例弁とを備えており、前記二次側のミスト用水の水温を求める際は、前記分岐点から液−液熱交換器の一次側に流れる温水循環流量が通常のミストサウナ装置の運転時における温水循環流量の範囲の中で下限に近い少ない目となるように前記水比例弁の開度を調整するのが好ましい。この場合、熱源機からの温水の供給開始後に検出される温水の最低温度を求めている間は、水比例弁によって液−液熱交換器の一次側への温水流量が低く抑えられるので、暖房用熱交換器に流れる温水流量を多くすることができ、暖房運転時における浴室温度の立上がりを早くすることが出来る。
【００１５】
前記二次側のミスト用水の水温が所定の温度範囲であるときのみ、リーク判定手段によるリークの有無の判定を実行するのが好ましい。この場合、水温が低い季節には、リークがないにも関わらずリーク有りと誤判定することを回避できるようになり、一方、水温が高い季節には、リークがあるにも関わらずリーク無しと誤判定することを回避できるようになる。
【００１６】
前記安全装置は、リーク判定手段によるリーク有りとの判定結果が所定回数以上連続したときに、機器の運転を強制停止させるのが好ましい。この場合、誤判定による不用な運転停止を回避できる。
【００１７】
前記熱源機からの一次側の温水が循環する温水循環管路により循環用ファンにて通風される空気を加熱して温風を発生させるための暖房用熱交換器を備えると共に、前記液−液熱交換器の一次側出口と前記温水循環管路の戻り側とが合流点において合流し、前記液−液熱交換器の一次側出口と前記合流点との間に、前記戻り温水サーミスタを設けてなるのが好ましい。この場合、暖房運転を並行して行った場合にも、暖房用熱交換器の温水出口から熱源機に戻る温水の流量や温度の影響を受けずに、液−液熱交換器の出側において精度良くリークの有無が検出できる。
【発明の効果】
【００１８】
本発明は、ミストサウナ装置の運転を行いながらリークの有無を判定するので、リークがない場合でも、給水管路内部の不用な圧力上昇がなく、また排水経路を別途設ける必要もなく、そのうえ、液−液熱交換器からの戻り温水の温度を監視してリーク判定を行うので、温度が変化しにくい液−液熱交換器の入側で温度を監視する場合と比較して、リークの発生箇所に関わらず、正確にリークの有無を判定できるものである。
【図面の簡単な説明】
【００１９】
【図１】本発明の実施形態の一例のミストサウナ機能を有する浴室暖房乾燥機の配管図である。
【図２】同上の浴室暖房乾燥機の断面図である。
【図３】同上の浴室暖房乾燥機を浴室に設置した状態を示す斜視図である。
【図４】同上のミスト用熱交換器を構成する液−液熱交換器の内部構造を説明する断面図である。
【図５】同上の浴室暖房乾燥機の制御部に関連するブロック図である。
【図６】同上のリーク検査シーケンスを説明するフローチャートである。
【図７】同上の季節の水温に応じたリーク判定用閾値の一例を示すデータである。
【図８】同上のミストサウナ装置の運転開始後のリーク有り・無しを判別するための時間経過と温度上昇との関係を示すグラフである。
【図９】同上のミストサウナ装置の運転開始毎にリーク有りの判定結果が３回数以上連続したときは、機器の運転停止とエラー報知機器の運転停止を行う場合の説明図である。
【図１０】３回数以上連続してリーク有りを検出しないときは機器の運転停止もエラー報知も行わない場合の説明図である。
【図１１】リーク有りとリーク無しとが交互に検出したときは機器の運転停止もエラー報知も行わない場合の説明図である。
【発明を実施するための形態】
【００２０】
以下、本発明の実施の形態について、図面を参照しながら説明する。
【００２１】
図１は本実施形態の一例のミストサウナ機能を有する浴室暖房乾燥機Ａの配管図であり、図２は浴室暖房乾燥機Ａの断面図であり、図３は浴室暖房乾燥機Ａを浴室に設置した状態を示す斜視図である。
【００２２】
浴室暖房乾燥機本体１０の機器ケーシング４０の上部にはミスト用熱交換器７を収納するミストボックス５０が設けられている。これらは天井裏に配置してあり、吊り金具１２にて天井スラブに吊り支持してあり、浴室暖房乾燥機本体１０の下面を天井板１３の開口に臨ませてある。天井板１３の下から開口を覆うようにグリル板１１が配置され、グリル板１１が浴室暖房乾燥機本体１０の下面側に取り付けられている。ここでは浴室暖房乾燥機本体１０の周縁の下面とグリル板１１の周縁との間に天井板１３の開口の周縁を挟むようにしてグリル板１１が取り付けられている。
【００２３】
浴室暖房乾燥機本体１０の機器ケーシング４０の内部には、暖房用熱交換器１４や送風機１５を内装してある。この暖房用熱交換器１４は内部に温水を通すことで外部を流れる空気と熱交換するようになっている。またこの暖房用熱交換器１４は浴室暖房乾燥機本体１０に配管した温水循環管路２の途中に配置してあり、温水循環管路２には熱源機１から温水が供給されて温水が循環するようになっている。本例においては熱源機１の内部に大気開放形の貯湯タンク（図示せず）を備えており、この貯湯タンクに温水循環管路２の上流端が接続されている。温水循環管路２には、暖房用熱交換器１４への温水の供給調整を行う熱動弁２５と、温水循環管路２を流れる温水の温度を検出する暖房温水サーミスタＴＨ２とを配置してある。
【００２４】
また上記送風機１５は循環用ファン１５ａと換気用ファン１５ｂとからなる。浴室暖房乾燥機本体１０の吹き出し口１６と対応する位置には吹き出し口１６を開閉する可動ルーバー１７を回転自在に装着してある。グリル板１１には浴室３内の空気を吸い込む吸い込み口１８を設けてあり、この吸い込み口１８の近傍には浴室３内の温度を検出する浴室温度サーミスタＴＨ３を配置してある。
【００２５】
浴室３内を暖房する暖房運転をする場合、熱動弁２５を開いて暖房用熱交換器１４に温水を供給し、換気用ファン１５ｂを停止状態にすると共に循環用ファン１５ａを駆動し、可動ルーバー１７を開状態にして吹き出し口１６を開いておく。すると、浴室３内の空気が吸い込み口１８から浴室暖房乾燥機本体１０内に吸い込まれ、暖房用熱交換器１４で温水と熱交換することで加熱された温風が吹き出し口１６から吹き出されるように空気が循環し、浴室３内が暖房される。
【００２６】
浴室３内の換気をする換気運転する場合、熱動弁２５を閉じて暖房用熱交換器１４への温水の供給を停止し、循環用ファン１５ａを停止すると共に換気用ファン１５ｂを駆動し、可動ルーバー１７を閉状態にして吹き出し口１６を閉じておく。すると、浴室３内の空気が吸い込み口１８から浴室暖房乾燥機本体１０に吸い込まれ、排気ダクト３０を介して外部に排気され、浴室３内の換気が行われる。
【００２７】
浴室３内を乾燥したり、浴室３内に干した洗濯物を乾燥したりする乾燥運転を行う場合、熱動弁２５を開いて暖房用熱交換器１４に温水を供給し、循環用ファン１５ａ及び換気用ファン１５ｂを駆動し、可動ルーバー１７を開状態にして吹き出し口１６を開いておく。すると、浴室３内の空気が吸い込み口１８から浴室暖房乾燥機本体１０内に吸い込まれ、暖房用熱交換器１４で温水と熱交換することで加熱された温風が吹き出し口１６から吹き出すように空気が循環し、一方、浴室暖房乾燥機本体１０内に吸い込まれた空気の一部が排気ダクト３０（図３）を介して外部に排気される。これにより浴室３内の湿度が下がり、浴室３内の乾燥や浴室３内に干した洗濯物の乾燥が行われる。
【００２８】
浴室３内に涼風を送風する場合は、熱動弁２５を閉じて暖房用熱交換器１４への温水の供給を停止し、換気用ファン１５ｂを停止状態にすると共に循環用ファン１５ａを駆動し、可動ルーバー１７を開状態にして吹き出し口１６を開いておく。すると、浴室３内の空気が吸い込み口１８から浴室暖房乾燥機本体１０内に吸い込まれ、吹き出し口１６からその空気が吹き出されるように空気が循環し、浴室３内に涼風の送風が行われる。
【００２９】
一方、ミストボックス５０の内部には、ミスト用給水管路５の一部が配管されており、ミスト用給水管路５の途中には後述するミスト用熱交換器７が配置されている。ミスト用熱交換器７よりも上流側は、電磁弁からなる給水開閉弁６及びストレーナ２２を介して、外部の水道管に接続されている。
【００３０】
ミスト用給水管路５のミスト用熱交換器７よりも下流側の部分は浴室暖房乾燥機本体１０の機器ケーシング４０内に配管されていると共に、機器ケーシング４０内に設置されるノズル開閉弁２１を介して、ミストサウナ用の水を噴霧するミストノズル４に接続されている。（図２では、ノズル開閉弁２１の記載を省略している。）このようにミストボックス５０から機器ケーシング４０にまたがって配管されるミスト用給水管路５と、ミストボックス５０のミスト用熱交換器７及び給水開閉弁６と、機器ケーシング４０内のノズル開閉弁２１ａ，２１ｂ及びミストノズル４とで、ミストサウナ装置２０が構成されている。
【００３１】
本例の場合、ミストノズル４としては２つのミストノズル４ａ，４ｂがあり、各ミストノズル４ａ，４ｂは例えば０．５リットル／ｍｉＮ程度の流量で温水のミストを噴霧するようになっている。ミストノズル４ａ，４ｂはそれぞれ２つのノズル開閉弁２１ａ，２１ｂで個別に開閉され、ミストノズル４ａやミストノズル４ｂから選択的にミストが噴霧されるようになっている。２つのミストノズル４ａ，４ｂから温水のミストを噴霧するとミストサウナ強で運転でき、一方のミストノズル４ａまたはミストノズル４ｂから温水のミストを噴霧するとミストサウナ弱で運転できるようになっている。本例の場合、ミスト用熱交換器７を浴室暖房乾燥機本体１０の機器ケーシング４０とは別体のミストボックス５０内部に収納しているが、ミスト用熱交換器７を機器ケーシング４０の内部に組み込んでもよい。
【００３２】
上記浴室暖房乾燥機本体１０の温水循環管路２の往き側には、上記暖房用熱交換器１４と並列になるようにミスト加熱用管路２３を分岐させてある。つまり、熱源機１からミスト用熱交換器７の一次側に温水を供給する温水循環管路２に熱源機１からの温水を分岐して供給する分岐点９ａを設け、この分岐点９ａとミスト用熱交換器７の一次側入口７ｂとの間をミスト加熱用管路２３により接続してある。ミスト加熱用管路２３の途中に、ミスト加熱用管路２３を流れる温水の流れを制御する水比例弁２４を設けてある。
【００３３】
ここで、ミスト用熱交換器７の内部には、ミスト加熱用管路２３からの一次側の温水が流れる一次側水路と、給水部から供給される二次側のミスト用水が流れる二次側水路とが設けられ、ミスト加熱用管路２３からの温水によりミスト用給水管路５からのミスト用水を加熱するものである。加熱されたミスト用水の温度はミスト温度サーミスタＴＨ１により検出される。本例のミスト用熱交換器７は、図４に示すように複数枚の波状をした伝熱プレート７ａを介して一次側水路と二次側水路とを積層したプレート式の液−液熱交換器で構成される。
【００３４】
ミストサウナ浴をする場合、給水開閉弁６が開かれてミスト用給水管路５にミスト用水が給水されると共に、水比例弁２４が開かれてミスト加熱用管路２３に温水が循環供給される。これによりミスト用熱交換器７にてミスト用給水管路５に流れるミスト用水が加熱されて温水となってミストノズル４側に流れる状態になる。この状態でノズル開閉弁２１が開かれると、温水のミストがミストノズル４ａ，４ｂから選択的に噴霧されてミストサウナ浴が行われる。このとき２つのノズル開閉弁２１ａ,２１ｂの両方を開くと両方のミストノズル４ａ，４ｂからミストを噴霧するとミストサウナ強で運転することができてハードなミストサウナ浴ができ、またノズル開閉弁２１ａ,２１ｂの一方のみを開くと、一方のミストノズル４ａまたはミストノズル４ｂからミストを噴霧するとミストサウナ弱で運転できてソフトなミストサウナ浴ができる。またこのようにミストサウナ浴をするときは浴室暖房乾燥機本体１０が後述のように暖房運転されて浴室３内の温度が上げられ、快適にミストサウナ浴ができるようになっている。
【００３５】
図５は浴室３の制御部８に関連するブロック図であり、操作器１９の操作にて上記暖房・乾燥・換気・送風の各運転並びにミストサウナ運転が行われるようになっている。
【００３６】
次に、上記液−液熱交換器からなるミスト用熱交換器７のリークの有無を判定するためのリーク判定手段を具体的に説明する。
【００３７】
本例では、ミスト加熱用管路２３は熱源機１内部に備える大気開放型の貯湯タンク（図示せず）に接続されているため、ミスト用熱交換器７内部にリークが発生したときは、一次側（ミスト加熱用管路２３側）の水圧が二次側（ミスト用給水管路５側）の水圧よりも低くなることから、一次側のミスト用の低温水が二次側の温水中に流れ込むようになり、このときミスト用熱交換器７の一次側出口７ｃに接続される温水戻り管路２３ａに戻る温水温度が低くなることを検出することで、ミスト用熱交換器７のリークの検査を行うものである。ミスト用熱交換器７のリークを検出した場合には後述のように運転を強制終了させるようにしている。
【００３８】
図１に示すように、ミスト用熱交換器７の一次側出口７ｃと温水循環管路２の戻り側とが合流点９ｂにおいて合流し、ミスト用熱交換器７の一次側出口７ｃと合流点９ｂとが温水戻り管路２３ａを介して接続されており、この温水戻り管路２３ａの途中に、戻り温水サーミスタＴＨＭが設けられている。この戻り温水サーミスタＴＨＭは、ミスト用熱交換器７の一次側出口７ｃから熱源機１側に戻る温水戻り温度の低下を検出するものであり、後述のように温度低下を検出したときにリーク検査シーケンスが実行されて、ミスト用熱交換器７のリークの有無が判定されるものである。
【００３９】
ところで、リークの有無を判定する基準として、予め決められた水温を固定値として基準にすると、季節の水温変化により誤検出を行う可能性があるため、後述のように、温水循環管路２により循環供給される温水を使用する運転が終了してから所定時間（たとえば２４時間）以上経過したときの、熱源機１から温水循環管路２に供給される運転初期の温水温度により季節（水温）を推定し、季節に応じたリーク判定用閾値を求め、求めたリーク判定用閾値を基準にしてリークの有無を判定するようにしている。
【００４０】
＜リーク検査シーケンスの開始条件＞
図６のフローチャートはリーク検査シーケンスの一例を示している。
【００４１】
以下の２条件ａ、ｂをリーク検査シーケンスの実行開始条件とする（図６のステップＮ１）。
【００４２】
条件ａ：温水循環管路２により循環供給される温水を使用する暖房運転、乾燥運転、ミストサウナ運転などの運転が終了してから、所定時間（たとえば２４時間）を経過した以降のミストサウナ運転開始であること。
【００４３】
条件ｂ：電源が投入されてから始めてミストサウナ運転を行う場合は、電源投入から２４時間経過するまではリーク検査シーケンスを実行せず、ミストサウナ運転を開始する時点において電源投入から２４時間経過していること。
【００４４】
これら条件ａ又はｂのどちらか一方を満たしている場合は、ミストサウナ運転開始時に後述するリーク検査シーケンスを実行する。本例では季節（水温）の推定とリークの判定とを順次行う。
【００４５】
＜季節（水温）の推定＞
季節（水温）の推定は以下の手順で行う。
【００４６】
熱源機１をオンにすると共に熱動弁２５を開いて温水循環管路２に熱源機１からの温水を循環させる暖房運転を行う（図６のステップＮ２）。
【００４７】
このとき、水比例弁２４の開度を、リーク検査シーケンスを行わない通常のミストサウナ運転時における温水循環流量の範囲の中で下限に近い少ない目となる季節推定用開度（たとえばステッピングモータの５０００ステップの位置に相当）に調整固定する。因みに、水比例弁２４は通常の運転時にはステッピングモータにより駆動されて、ミスト加熱用管路２３からミスト用熱交換器７に供給される水温が適切になったときに温水の出湯量の調節を行うものであり、これによりミストの温度が調整されるものである。
【００４８】
水比例弁２４の開度が上記季節推定用開度に調整固定されると、ミスト用熱交換器７の一次側（ミスト加熱用管路２３側）には、リーク検査シーケンスを行わないときの通常のミストサウナ運転時における温水循環供給流量の範囲の中で下限に近い少ない目の季節推定用温水循環供給流量に保持される。
【００４９】
このように水比例弁２４の開度を季節推定用開度に調整固定する理由は以下による。すなわち、リーク検査シーケンスを実行する場合を含め、ミストサウナ運転時には暖房運転を並行して行うことで浴室を暖房することができ、ミストサウナ運転開始時において使用者が肌寒さを感じることを防止できるようになり、水比例弁２４の開度を季節推定用開度とすることでミスト用熱交換器７の一次側に流れる温水の流量を出来るだけ少なくして、暖房用熱交換器１４に流れる温水の流量を出来るだけ多くすることができ、季節（水温）の推定時の暖房運転における浴室温度の立上がりを出来るだけ早くするためである。
【００５０】
上記季節推定用開度に調整固定した状態で、戻り温水サーミスタＴＨＭの検出温度ｔｍを検出して記憶する。この記憶した値をＴｘとする。そして、戻り温水サーミスタＴＨＭの検出温度ｔｍが５０℃以上を検出するまではｔｍとＴｘとを比較し、ｔｍ＜Ｔｘとなった場合はＴｘをｔｍで更新する。つまり、検出温度ｔｍが５０℃以上となるまで検出される温度ｔｍがそれまでに記憶されているＴｘを下回ったときは、この下回ったｔｍを新たなＴｘとして更新する。そして、戻り温水サーミスタＴＨＭの検出温度ｔｍが５０℃以上を検出した時点でのＴｘを、ミストサウナ運転の開始から戻り温水サーミスタＴＨＭの検出温度ｔｍが５０℃に達するまでの間の最低温度とする（図６のステップＮ３、Ｎ４、Ｎ５）。
【００５１】
そして、戻り温水サーミスタＴＨＭが検出温度ｔｍとして５０℃以上を検出した時点で、リークの判定を開始する（図６のステップＮ３）。
【００５２】
＜リークの判定＞
戻り温水サーミスタＴＨＭが検出温度ｔｍとして５０℃以上を検出した時点のＴｘが、所定の下限温度（たとえば５℃）より低い場合は、強制的に「リーク無し」と判定する（図６のステップＮ６、Ｎ７）。その理由は、水温が下限温度（たとえば５℃）より低い季節には、ミストの噴霧により戻り温水サーミスタＴＨＭの検出温度ｔｍが下がるものであるから、リーク無しであるにも関わらずリーク有りと誤判定することによる不用な運転の終了を回避するためである。
【００５３】
上記とは逆に、戻り温水サーミスタＴＨＭが検出温度ｔｍとして５０℃以上を検出した時点のＴｘが、所定の上限温度（たとえば３０℃）より高い場合にも、リーク検出は行わず、強制的に「リーク無し」と判定する（図６のステップＮ６、Ｎ７）。その理由は、本例においては誤判定による不用な運転の終了を回避するために、後述のようにリーク有り判定が所定回数（たとえば３回）連続した場合だけリークしていることが確実であると判断してミストサウナ運転を終了するようにしてあるが、水温が上限温度より高い季節には、リークがあるにも関わらずリーク無しと誤判定することにより、「リーク有り」の判定が所定回数（たとえば３回）連続して発生することを妨げてしまうことがあり、結果、リークが検出できなくなるのを防止するためである。
【００５４】
すなわち、水温が高い季節には、リークがあるにも関わらずリークがないと誤判定することを回避できる。
【００５５】
一方、戻り温水サーミスタＴＨＭが検出温度ｔｍとして５０℃以上を検出した時点のＴｘが、所定の下限温度以上で且つ上限温度以下の場合（たとえば５℃〜３０℃）は、リーク判定用閾値に基づいてリークの有無の判定を行う（図６のステップＮ６、Ｎ８〜Ｎ１７）。
【００５６】
つまり、制御部８に予めデータとして記憶されている図７に示すリーク検出閾値の一覧から、最低温度として記憶されているＴｘに対応するリーク判定用閾値Ｔｙを求める（図６のステップＮ８）。なお、図７のリーク判定用閾値の一覧では、０．５℃刻みのＴｘについてＴｙが設定されているが、制御部８に備えるマイクロコンピュータが戻り温水サーミスタＴＨＭの検出温度ｔｍを読み込む時には０．５℃刻みで量子化される。すなわち、マイクロコンピュータによる戻り温水サーミスタＴＨＭの検出温度ｔｍの読み込み分解能が０．５℃であることによる。
【００５７】
上記リーク判定用閾値Ｔｙを求め終わった時点で、水比例弁２４の開度を、リーク判定用開度（たとえばステッピングモータの７０００ステップの位置に相当）に調整固定する（図６のステップＮ９）。水比例弁２４の開度がリーク判定用開度に調整固定されると、ミスト用熱交換器７の一次側（ミスト加熱用管路２３側）には、リーク検査シーケンスを行わないときの通常のミストサウナ運転時における通常のミスト噴霧時の温水循環供給流量程度、すなわち通常のミストサウナ運転時における温水循環供給流量の範囲の中で上限に近い多い目のリーク判定用温水循環供給流量に保持される。
【００５８】
ここで、水比例弁２４の開度をリーク判定用開度に調整固定する理由は、リークの判定時にミスト噴霧を行った場合に、ミスト用熱交換器７にリークがないときにもミスト噴霧によるミスト用供給水との熱交換により戻り温水サーミスタＴＨＭの検出温度ｔｍが低下するため、仮りにミスト用熱交換器７の一次側（ミスト加熱用管路２３側）の温水循環供給量が少ないと、ミスト用熱交換器７のリークの有無の判定が困難となるからであり、そこでミスト用熱交換器７の一次側に供給される温水循環供給流量を多い目にすることで、ミスト用熱交換器７にリークがない場合のミスト噴霧時の戻り温水サーミスタＴＨＭの検出温度ｔｍの低下と、ミスト用熱交換器７にリークがある場合のミスト噴霧時の戻り温水サーミスタＴＨＭの検出温度ｔｍの低下とを峻別しやすくするためである。
【００５９】
水比例弁２４の開度がリーク判定用開度に調整固定されると、ミスト噴霧開始条件ｃ〜ｅが全て満たされるまで待機する（図６のステップＮ１０）。
【００６０】
＜ミスト噴霧開始条件＞  条件ｃ：暖房温水サーミスタＴＨ２の検出温度ｔ２が５８℃以上を５秒継続、浴室温度サーミスタＴＨ３の検出温度ｔ３が２５℃以上を５秒継続したこと。
【００６１】
条件ｄ：水比例弁２４の開度がリーク判定時ミスト噴霧開始開度（たとえばステッピングモータの６０００ステップの位置に相当）以上に達したこと。
【００６２】
条件ｅ：戻り温水サーミスタＴＨＭの検出温度ｔｍが７０℃以上を３０秒継続して検出した場合、或いは、上記条件ｃとｄの両方が成立してから５分経過した場合のどちらか一方であること。
【００６３】
上記３つの条件ｃ〜ｅが全て満たされた段階で、ミスト噴霧を開始する（図６のステップＮ１１）。この段階では浴室内温度が所定以上に暖められているため、ミスト噴霧開始時から使用者が肌寒さを感じることを防止できる。
【００６４】
なお、噴霧開始後に暖房温水サーミスタＴＨ２の検出温度ｔ２が７０℃未満を検出することも考えられ、その場合はリークの有無を誤判定する惧れがあるため、噴霧開始後に検出温度ｔ２が７０℃未満に低下した場合は、強制的に「リーク無し」と判定する（図６のステップＮ１２、Ｎ１３）。
【００６５】
そして、ミスト噴霧開始時点から２５秒間は、水比例弁２４を前述のリーク判定用開度に維持する。図８は、Ｔｘ＝１５℃のときのリーク判定用閾値Ｔｙ（＝３４．５）を基準とする戻り温水サーミスタＴＨＭの検出温度ｔｍの変化の一例を示している。
【００６６】
ミスト噴霧開始から２５秒経過時で戻り温水サーミスタＴＨＭの検出温度ｔｍが、リーク判定用閾値Ｔｙ以下である状態を５秒継続した場合は、「リーク有り」と判定し、リーク検査シーケンスを終了する（図６のステップＮ１４、Ｎ１５、Ｎ１６）。このリーク有り判定は制御部８に記憶される。戻り温水サーミスタＴＨＭの検出温度ｔｍがＴｙ以下である状態を５秒継続することなしに２５秒経過した場合は、「リーク無し」と判定し、リーク検査シーケンスを終了する（図６のステップＮ１７）。
【００６７】
リーク検査シーケンスの終了後は、水比例弁２４のリーク判定用開度の調整固定は解除され、それ以降は通常の開閉制御動作に切り換えられる。
【００６８】
＜リーク有り判定に基づく運転停止とエラー報知＞
上記リーク検査シーケンスは、温水循環管路２により循環供給される温水を使用する運転が終了してから所定時間（たとえば２４時間）以降のミストサウナ運転開始時に１回行う。本例では、運転開始毎にリーク検査シーケンスによる判定結果で「リーク有り」と判定された回数をカウントし、図９〜図１１に示すように３回連続して「リーク有り」と判定された場合においてのみ、機器の運転停止とエラー報知とを行う。
【００６９】
このように、リーク検査シーケンスにおいて万が一誤判定があった場合にも、「リーク有り」の判定が所定回数（たとえば３回）連続した場合のみリーク有り判定を行うことで、確実にリーク有りの場合においてのみ運転停止とエラー報知とを行う仕様とすることで、誤判定による不用な運転停止を回避している。
【００７０】
上記構成によれば、ミスト噴霧を行いながらリークの有無を判定するので、従来のようなミスト用給水管路５内部の圧力上昇が生じることがなく、しかも、従来のような排水管路を別途設ける必要もなくなる。さらに、ミスト用熱交換器７からの戻り温水の温度を監視してリーク判定を行うものであるから、ミスト用熱交換器７中のリーク発生箇所の位置に関らず、リークの有無の検出が正確にできるようになる。
【００７１】
しかも季節によりミスト用水の水温が変動したときにも、季節に応じたリーク判定用閾値を基準にすることで、季節（水温）に関わらず、正確にリークの有無が判定できる。従って、誤判定による不用な運転停止を回避できると共に、ミスト用水の水温を求めるための特別なセンサを設ける必要もなくなる。
【００７２】
また、熱源機１からの温水が流入する位置であるために、リークがあっても温度が変化しにくいミスト用熱交換器７の入側で温度監視を行う場合と異なり、また、ミスト用熱交換器７の出側で温度監視を行うので、暖房運転を並行して行った場合であっても、暖房用熱交換器１４の温水出口から熱源機１に戻る温水の流量や温度の影響を受けることなく、ミスト用熱交換器７の出側において精度良くリークの有無が検出できる利点もある。
【００７３】
前記実施形態では、リーク検査シーケンスの季節（水温）の推定において、戻り温水サーミスタＴＨＭの検出温度ｔｍとして５０℃以上を検出するまで、戻り温水サーミスタＴＨＭの検出温度ｔｍとＴｘを比較し、戻り温水サーミスタＴＨＭの検出温度ｔｍ＜Ｔｘの場合、Ｔｘを戻り温水サーミスタＴＨＭの検出温度ｔｍで更新したが、他の実施形態として、戻り温水サーミスタＴＨＭの検出温度ｔｍとして下限温度（たとえば５℃）より低い温度を検出した時点で、「リーク無し」と判定してもよいものである。
【００７４】
本発明の実施においては、上記実施例で用いた数値により限定されるものではない。
【符号の説明】
【００７５】
１  熱源機
２  温水循環管路
３  浴室
４  ミストノズル
５  ミスト用給水管路
６  給水開閉弁
７  液−液熱交換器（ミスト用熱交換器）
７ｂ  一次側入口
７ｃ  一次側出口
８  制御部
９ａ  分岐点
９ｂ  合流点
１０  浴室暖房乾燥機本体
１４  暖房用熱交換器
１５  送風機
１９  操作器
２０  ミストサウナ装置
２１  ノズル開閉弁
２３  ミスト加熱用管路
２３ａ  温水戻り管路
２４  水比例弁
２５  熱動弁
Ａ  浴室暖房乾燥機
ＴＨ１  ミスト温度サーミスタ
ＴＨ２  暖房温水サーミスタ
ＴＨ３  浴室温度サーミスタ
ＴＨＭ  戻り温水サーミスタ
Ｔｙ  リーク判定用閾値
【図１】
2011193951.tif 000003
【図２】
2011193951.tif 000004
【図３】
2011193951.tif 000005
【図４】
2011193951.tif 000006
【図５】
2011193951.tif 000007
【図６】
2011193951.tif 000008
【図７】
2011193951.tif 000009
【図８】
2011193951.tif 000010
【図９】
2011193951.tif 000011
【図１０】
2011193951.tif 000012
【図１１】
2011193951.tif 000013